(57)【要約】【目的】扉枠体の羽板挿入用の挿入孔に羽板を挿入固定したとき、挿入孔とその挿入孔に挿入される羽板との間隙より雨水が扉枠内に侵入することを防止する蝶番用シ−ル部材の提供。【構成】扉枠側に設けられたスリット状の羽板挿入用の挿入孔に羽板を挿入して固定してなる蝶番の前記羽板に装着されるゴム様弾性体よりなる蝶番用シ−ル部材であって、該シ−ル部材は、前記羽板に装着される装着部と、前記扉枠側の面に前記挿入孔の周囲を包囲するように弾接するシ−ルリップを備えたこと。【効果】本発明の蝶番用のシ−ル部材を羽板に装着することにより、屋外の扉等に使用した場合でも羽板挿入用の挿入孔に羽板を挿入したときの挿入孔の周囲をシ−ルリップで完全に覆うことが可能となるので挿入孔とその挿入孔に挿入される羽板との間隙より雨水が扉枠内に侵入することを防止し、扉枠内部を腐食させることがない。【選択図】  図５
2004251044.tif 000002
【特許請求の範囲】
【請求項１】
扉枠側に設けられたスリット状の羽板挿入用の挿入孔に羽板を挿入して固定してなる蝶番の前記羽板に装着されるゴム様弾性体よりなる蝶番用シ−ル部材であって、該シ−ル部材は、前記羽板に装着される装着部と、前記扉枠側の面に前記挿入孔の周囲を包囲するように弾接するシ−ルリップとを備えたことを特徴とする蝶番用シ−ル部材。
【発明の詳細な説明】
【０００１】
【発明の属する技術分野】
本発明は、蝶番用シ−ル部材に関し、特に羽板を扉枠側の所定位置に固定する手段として、扉枠側に設けられたスリット状の羽板挿入用の挿入孔に羽板を挿入して固定する構成の蝶番に対して好適な蝶番用シ−ル部材に関する。
【０００２】
【従来の技術】
出入口に設置する扉等を開閉可能に支承する金具としては、円筒状に加工した筒体を有する板状の羽板と、前記筒体に遊嵌される軸部材を有する板状の羽板とを対として構成された蝶番が広く一般に使用されている。具体的には、前記した筒体を有する羽板の該筒体に対をなす羽板の軸部材を遊嵌させることにより一方の羽板に対して他方の羽板が前記軸部材を中心として回動自在となっている蝶番の前記一方の羽板を扉枠側の所定位置に、他方の羽板を扉側の所定位置に各々固定し扉等を開閉可能としている。
【０００３】
前述した一方の羽板を扉枠側の所定位置に固定する方法としては、扉枠側に設けられたスリット状の羽板挿入用の挿入孔に羽板を挿入して様々な固定手段にて羽板を固定する構成が知られている（例えば特許文献１参照）。
【０００４】
【特許文献１】
特開２００１−１３２３０５号公報
【０００５】
【発明が解決しようとする課題】
しかしながら、前述したような従来の羽板を扉枠側の所定位置に固定する方法においては、図６に示すように、円筒状に加工された筒体３１を有する板状の羽板３２と、前記筒体３１に遊嵌される軸部材を有する板状の羽板３４とを対とする蝶番３０の前記一方の羽板３４を扉枠３３に設けられたスリット状の羽板挿入用の挿入孔３５に挿入して固定する構成になっているため、羽板挿入用の挿入孔３５に羽板３４を挿入したときの挿入孔３５とその挿入孔３５に挿入される羽板３４との間に間隙が生じることがあり、特に屋外の扉等に使用した場合にはこの間隙より雨水が扉枠内に侵入して扉枠内部を腐食させる等の問題があった。
そこで、本発明は、上記した点に鑑みてなされたものであり、屋外の扉等に使用した場合でも羽板挿入用の挿入孔に羽板を挿入したときの挿入孔とその挿入孔に挿入される羽板との間隙より雨水が扉枠内に侵入して扉枠内部を腐食させることのない蝶番用シ−ル部材の提供を目的とするものである。
【０００６】
【問題を解決するための手段】
本発明に係る蝶番用シ−ル部材は、前記の目的を達成するために、扉枠側に設けられたスリット状の羽板挿入用の挿入孔に羽板を挿入して固定してなる蝶番の前記羽板に装着されるゴム様弾性体よりなる蝶番用シ−ル部材であって、該シ−ル部材は、前記羽板に装着される装着部と、前記扉枠側の面に前記挿入孔の周囲を包囲するように弾接するシ−ルリップとを備えたことをその特徴とし、上記の構成としたことにより、屋外の扉等に使用した場合でも羽板挿入用の挿入孔に羽板を挿入したときの挿入孔とその挿入孔に挿入される羽板との間隙より雨水が扉枠内に侵入して扉枠内部を腐食させることがないものである。
【０００７】
【発明の実施の形態】
本発明の実施の形態を図に基づいて説明する。図１〜図４は蝶番用シ−ル部材１を示し、該蝶番用シ−ル部材１は、ゴム様弾性体より構成され、蝶番の羽板に装着される装着部２と該装着部に連続して設けられるシ−ルリップ３よりなるもので、これを詳細に説明すると、蝶番用シ−ル部材１（以下シ−ル部材１と略称する）の上面部４は長方形に形成され、該長方形の上面部４の内縁に所要の厚みを残して板状の羽板が挿入可能な長方形の空所５を構成するように下方に向けて垂直な壁６が形成してある。
【０００８】
前記した内部が壁６によって長方形に形成された空所５の外周側のそれぞれには斜め下方に向けた外側部７と該外側部７に連続して下方に向けた垂直部８が形成され、前記のシ−ル部材１の内部に設けられたそれぞれの壁６との間で所要の厚みを有している。そして、前記した羽板に装着可能な空所５を形成する長方形の壁６と外周に設けられた外側部７及び垂直部８とで所要の厚みを有する羽板に装着される装着部２が構成されることになる。また、前記した所要の厚みを有する装着部２の下方に連続して斜め下方に向けたシ−ルリップ３が形成されている。
なお、羽板への装着を容易にするために前記した壁６の上部を面取り９してもよい。
【０００９】
したがって、シ−ル部材１は、上部には長方形状に形成され蝶番の羽板に装着される内部が空所５とされる装着部２を有するとともに長方形状とされた前記のシ−ル部材１の装着部２の下方にはシ−ルリップ３が一体的に形成されるので、本実施の形態における前記のシ−ル部材１は、上部は長方形状の羽板に装着される装着部２を備え、下部は前記の長方形状の装着部２に連続して形成されるシ−ルリップ３で囲まれた空所が構成されている。
【００１０】
前記したシ−ル部材１の外周側に形成される外側部７及び垂直部８は必ずしも前述したような形状に限定されるものでなく、要は、前記した羽板に挿入される装着部２とその下方に連続してシ−ルリップ３が形成されていればよく、前記の外側部７及び垂直部８と内部に形成の壁６とで構成される装着部２によってシ−ル部材１が羽板に装着されたとき、シ−ル部材１が確実に保持されるような厚みとなるような外周側の形状であれば差し支えなく、ゴム様弾性体よりなるシ−ル部材を一体的に成型するときの型等を勘案して決定すればよい。
【００１１】
前記した本実施の形態のシ−ル部材１を蝶番に用いたものを図５に基づいて説明すると、円筒状に加工された筒体１０を有する板状の羽板１１と、前記筒体１０に遊嵌される軸部材を有する板状の羽板１３とを対として構成される蝶番１４の前記一方の羽板１３を扉枠１５側の所定位置に設けられたスリット状の羽板挿入用の挿入孔に挿入して固定し、他方の羽板１１を扉側（図示しない）に固定しているが、本実施の形態にあっては、前記の扉枠１５に設けられた羽板挿入用の挿入孔に羽板１３を挿入する前に、該羽板１３にシ−ル部材１をその装着部２によりシ−ルリップ３が扉枠側に向くように装着しておく。
【００１２】
上記したように羽板１３にシ−ル部材１を装着した後に、該羽板１３を扉枠１５に設けられたスリット状の羽板挿入用の挿入孔に前記のシ−ル部材１が装着された羽板１３を挿入し固定するが、このとき、前記の羽板１３に装着されたシ−ル部材１のシ−ルリップ３が扉枠１５側の面に弾接され、該シ−ルリップ３によって扉枠１５に設けられたスリット状の羽板挿入用の挿入孔の周囲が完全に包囲されることとなり、例え屋外の扉であっても前記の挿入孔に挿入される羽板との間隙よりの雨水等の侵入を防止することができる。
【００１３】
本実施の形態における羽板に装着される装着部２とシ−ルリップ３を備えたゴム様弾性体よりなる蝶番用のシ−ル部材１を扉枠側に設けられたスリット状の羽板挿入用の挿入孔に挿入される羽板１３に装着したとき、前記のシ−ル部材１のシ−ルリップ３が扉枠１５側の面に弾接し、前記の挿入孔の周囲を完全に包囲するものであり、前記した挿入孔とその挿入孔に挿入される羽板１３との間に間隙が生じていても前記したシ−ル部材１のシ−ルリップ３により雨水等が扉枠内に侵入することを防止できるものである。そして、前記したシ−ル部材１はゴム様弾性体で構成されるものであるので、蝶番の羽板への装着もきわめて容易である。
【００１４】
【発明の効果】
本発明に係る蝶番用シ−ル部材は、扉に使用される蝶番の扉枠側に挿入固定される羽板に装着されるゴム様弾性体よりなる蝶番用シ−ル部材であって、該シ−ル部材は、前記羽板に装着される装着部と、前記扉枠側の面に前記挿入孔の周囲を包囲するように弾接するシ−ルリップを備えたものであるので、蝶番を屋外の扉等に使用した場合でも前記したシ−ル部材のシ−ルリップが羽板挿入用の挿入孔の周囲を包囲するように扉枠の面に弾接されるので、羽板を挿入したときの挿入孔とその挿入孔に挿入される羽板との間隙より雨水が扉枠内に侵入することがなく、扉枠内部を腐食させることがないものである。
【図面の簡単な説明】
【図１】シ−ル部材の平面図。
【図２】シ−ル部材の側面図。
【図３】図２のＡ−Ａ断面図。
【図４】図３のＢ部の拡大図。
【図５】シ−ル部材を装着した羽板を扉枠に固定した説明図。
【図６】従来の扉枠に対する蝶番の説明図。
【符号の説明】
１          シ−ル部材
２          装着部
３          シ−ルリップ
１１，１３            羽板
１５      扉枠
【図１】
2004251044.tif 000003
【図２】
2004251044.tif 000004
【図３】
2004251044.tif 000005
【図４】
2004251044.tif 000006
【図５】
2004251044.tif 000007
【図６】
2004251044.tif 000008